(57)【要約】【課題】赤外線センサなどの検知信号をＬＡＮを介して情報処理装置に伝送するときに、センサ側で検知信号をパケットデータにするための通信回路を不要にする。【解決手段】センサ装置５のロジック部３３は赤外線センサ３１の検知信号に基づいて、可変抵抗ＶＲの値を変化させることで、給電ハブ３から給電される電力の給電クラスを変化させる。給電ハブ３はセンサ装置５の給電クラスの変化情報をパケット通信部２２によりＰＣ１へ送信する。ＰＣ１はセンサ装置５の給電クラスの変化情報に基づいて、赤外線センサ３１が検知信号を生成していると判断する。【選択図】  図１
2008250913.tif 000002
【特許請求の範囲】
【請求項１】
情報処理装置と、
ＬＡＮにより該情報処理装置に接続される給電装置と、
電力伝送可能なＬＡＮケーブルにより該給電装置に接続され、該給電装置に対して、給電クラスを提示する手段を有するセンサ装置と
を備えたセンサシステムあって、
前記センサ装置は、センサ素子と、該センサ素子の検知信号に応じて、前記給電クラス提示手段が提示する給電クラスを変化させる手段を有し、前記給電装置は前記給電クラスの変化を前記ＬＡＮ経由で前記情報処理装置に通知する手段を有することを特徴とするセンサシステム。
【請求項２】
情報処理装置と、
ＬＡＮにより該情報処理装置に接続される給電装置と、
電力伝送可能なＬＡＮケーブルにより該給電装置に接続され、該給電装置からの給電電流の通路に設けられたスイッチを有するセンサ装置と
を備えたセンサシステムであって、
前記給電装置は、前記スイッチの開閉状態の変化に応じた給電電流の変化を検出する手段と、該給電電流の変化を前記ＬＡＮ経由で前記情報処理装置に通知する手段とを有することを特徴とするセンサシステム。
【発明の詳細な説明】
【技術分野】
【０００１】
本発明は、赤外線センサなどのセンサの検知信号をＬＡＮ（Local Area Network）経由でパーソナルコンピュータ（以下、ＰＣと言う）などの情報処理装置に伝送するセンサシステムに関し、詳細には、センサ側で検知信号をパケット化して送信するための通信回路を不要にしたセンサシステムに関する。
【背景技術】
【０００２】
赤外線センサなどの検知信号をＰＣなどの情報処理装置にＬＡＮを介して伝送するときには、検知信号をパケット化して送信している（特許文献１参照）。このため、検知信号をパケット化して送信するための通信回路が必要であることから、センサ側の装置が大型化し、コストが高いという問題がある。
【０００３】
【特許文献１】特開２００５−６１９３４号公報
【発明の開示】
【発明が解決しようとする課題】
【０００４】
本発明は、このような問題点に鑑みてなされたものであり、その目的は、赤外線センサなどの検知信号をＬＡＮを介して情報処理装置に伝送するときに、センサ側で検知信号をパケット化して送信するための通信回路を不要にすることである。
【課題を解決するための手段】
【０００５】
請求項１の発明は、情報処理装置と、ＬＡＮにより該情報処理装置に接続される給電装置と、電力伝送可能なＬＡＮケーブルにより該給電装置に接続され、該給電装置に対して、給電クラスを提示する手段を有するセンサ装置とを備えたセンサシステムあって、前記センサ装置は、センサ素子と、該センサ素子の検知信号に応じて、前記給電クラス提示手段が提示する給電クラスを変化させる手段を有し、前記給電装置は前記給電クラスの変化を前記ＬＡＮ経由で前記情報処理装置に通知する手段を有することを特徴とするセンサシステムである。
請求項２の発明は、情報処理装置と、ＬＡＮにより該情報処理装置に接続される給電装置と、電力伝送可能なＬＡＮケーブルにより該給電装置に接続され、該給電装置からの給電電流の通路に設けられたスイッチを有するセンサ装置とを備えたセンサシステムであって、前記給電装置は、前記スイッチの開閉状態の変化に応じた給電電流の変化を検出する手段と、該給電電流の変化を前記ＬＡＮ経由で前記情報処理装置に通知する手段とを有することを特徴とするセンサシステムである。
【０００６】
（作用）
請求項１の発明によれば、センサ装置はセンサ素子の検知信号に応じて給電クラスを変化させ、給電装置はその給電クラスの変化を検出し、ＬＡＮ経由で情報処理装置に伝送する。
請求項２の発明によれば、スイッチの開閉状態の変化により給電装置からの給電電流が変化すると、給電装置は給電電流が変化したことをＬＡＮ経由で情報処理装置に通知する。
【０００７】
本発明によれば、赤外線センサなどの検知信号をＬＡＮを介して情報処理装置に送信するときに、センサ装置で検知信号をパケット化して送信するための通信回路が不要になる。
【発明を実施するための最良の形態】
【０００８】
以下、本発明の実施形態について図面を参照して説明する。
［第１の実施形態］
図１に示すように、本発明の第１の実施形態のセンサシステムは、ＰＣ１と、ＬＡＮケーブル２によりＰＣ１に接続された給電ハブ３と、電力伝送可能なＬＡＮケーブル４により給電ハブ３に接続されたセンサ装置５とからなる。
【０００９】
給電ハブ３は、この給電ハブ３全体の制御などを行う制御部２１と、ＰＣ１との間でＬＡＮケーブル２経由のパケット通信を行うためのパケット通信部２２と、センサ装置５に電力を供給するための給電部２３と、センサ装置５との間でＩＥＥＥ８０２．３ａｆの規格に準拠する認証手順を実行するためのＩＥＥＥ８０２．３ａｆ認証部２４と、センサ装置５が提示する給電クラスを検知するための給電クラス検知部２５とを備えている。
【００１０】
センサ装置５は、赤外線センサ３１と、その出力信号の増幅などを行う赤外線センサ出力部３２と、その出力信号に基づいて、後述するＩＥＥＥ８０２．３ａｆ認証・給電クラス提示部３４内の給電クラス提示用の可変抵抗ＶＲの抵抗値、及びスイッチ３６を開閉制御するロジック部３３とを備えている。
【００１１】
また、センサ装置５はＩＥＥＥ８０２．３ａｆ認証・給電クラス提示部３４を備えている。ＩＥＥＥ８０２．３ａｆ認証・給電クラス提示部３４は、給電ハブ３のＩＥＥＥ８０２．３ａｆ認証部２４との間で前述の認証手順を実行するためのＩＥＥＥ８０２．３ａｆ認証部と、給電ハブ３の給電クラス検知部２５に対し、給電クラスを提示する給電クラス提示部とを備えている。
【００１２】
また、センサ装置５は、給電ハブ３からＬＡＮケーブル４に供給され、さらにスイッチ３６及び３７を介して入力される電圧から、前述した赤外線センサ３１、赤外線センサ出力部３２、及びロジック部３３に供給する電源電圧を生成する電源部３５を備えている。スイッチ３６はＬＡＮケーブル４の電位の高い側に接続されており、ロジック部３３により開閉制御される。スイッチ３７はＬＡＮケーブル４の電位の高い側と電源部３５との間に接続されており、ＩＥＥＥ８０２．３ａｆ認証・給電クラス提示部３４により開閉制御される。
【００１３】
ＰＣ１は、センサ装置５内の給電クラス提示用の可変抵抗ＶＲが変化したことを、給電ハブ３からパケット通信により通知されたときに、その変化に応じた赤外線センサ３１の検知信号を判定するための給電クラス遷移／センサ信号テーブルを備えている。
【００１４】
以上の構成を有する本実施形態のセンサシステムの動作について、センサ装置５をＬＡＮケーブル４により給電ハブ３に接続した初期状態から順に説明する。
【００１５】
初期状態ではスイッチ３６、３７の開閉状態は、それぞれ「閉」、「開」である。このとき、センサ装置５内のＩＥＥＥ８０２．３ａｆ認証・給電クラス提示部３４と、給電ハブ３内の給電部２３、ＩＥＥＥ８０２．３ａｆ認証部２４、及び給電クラス検知部２５とがＬＡＮケーブル４で接続された状態となる。一方、電源部３５は、開いているスイッチ３７により給電ハブ３とは電気的に遮断された状態であるため動作しない。従って、赤外線センサ３１、赤外線センサ出力部、及びロジック部３３には電源電力が供給されないため、これらは作動しない。
【００１６】
上記の初期状態では、まず給電ハブ３内のＩＥＥＥ８０２．３ａｆ認証部２４と、センサ装置５内のＩＥＥＥ８０２．３ａｆ認証・給電クラス提示部３４内のＩＥＥＥ８０２．３ａｆ認証部との間で所定の認証手順を実行する。この認証手順により、給電ハブ３はセンサ装置５がＩＥＥＥ８０２．３ａｆに準拠したＬＡＮ端末装置であるか否か、つまり給電ハブ３から供給される電力で動作するタイプの装置であるか否かを判別する。具体的には、ＩＥＥＥ８０２．３ａｆ認証部２４は、制御部２１の制御に基づいて、センサ装置５に所定の電圧を印加し、その終端抵抗値が２５ｋΩのときＩＥＥＥ８０２．３ａｆに準拠したＬＡＮ端末装置であると判別し、それ以外の抵抗値のときＩＥＥＥ８０２．３ａｆに準拠していないと判別する。ここでは準拠した装置であると判別する。
【００１７】
次いで給電ハブ３内の給電クラス検知部２５は、センサ装置５内のＩＥＥＥ８０２．３ａｆ認証・給電クラス提示部３４内の給電クラス提示部が提示する給電クラスを検出する。具体的には、給電クラス検知部２５は、センサ装置５に対し、所定の時間、所定の電圧を印加し、センサ装置５に流れる電流を測定し、その測定結果に基づいて給電クラスを判定する。ここでは、センサ装置５に流れる電流は、ＩＥＥＥ８０２．３ａｆ認証・給電クラス提示部３４内の可変抵抗ＶＲの抵抗値に応じて変化するので、可変抵抗ＶＲの初期設定値により、給電クラスが決まる。この可変抵抗ＶＲを電子ボリュームにより構成してもよい。
【００１８】
給電ハブ３は、センサ装置５の給電クラスの判別を終えたら、制御部２１の制御に基づいて、給電部２３が前記給電クラスに相当する電力をセンサ装置５に出力する。一方、センサ装置５では、給電クラスの提示の後、ＩＥＥＥ８０２．３ａｆ認証・給電クラス提示部３４の制御によりスイッチ３７を閉じる。従って、給電部２３から電源部３５に電圧が印加され、電源部３５が動作することにより、電源部３５から赤外線センサ３１、赤外線センサ出力部３２、及びロジック部３３に電力が供給される。これにより、センサ装置５は待機状態となる。
【００１９】
この待機状態で赤外線センサ３１が赤外線を検知して検知信号を出力すると、その検知信号は赤外線センサ出力部３２により増幅などの処理を受け、ロジック部３３に入力される。ロジック部３３は、この入力信号に基づいて、ＩＥＥＥ８０２．３ａｆ認証・給電クラス提示部３４内の可変抵抗ＶＲの抵抗値を変化させるとともに、スイッチ３６を一旦開き直ちに閉じるように制御する。また、ＩＥＥＥ８０２．３ａｆ認証・給電クラス提示部３４の制御によりスイッチ３７を開く。
【００２０】
給電ハブ３では、このスイッチ３６の開閉動作により、ＬＡＮケーブル４が一旦取り外され、新たに接続されたものと判断し、前述した初期状態にて実行した認証手順及び給電クラス判別手順を実行する。このとき、認証手順は先の初期状態と同じ結果になるが、給電クラスについては、可変抵抗ＶＲの抵抗値が変化しているため、異なる給電クラスであると判別する。
【００２１】
給電ハブ３では、給電クラスが変化したことを判別すると、変化前及び変化後の給電クラスを示す情報を生成し、パケット通信部２２へ出力する。パケット通信部２２は、その情報をパケット化し、ＬＡＮケーブル２を介してＰＣ１へ送信する。ＰＣ１は、受信したパケット中の情報を取り出し、給電クラス遷移／センサ信号テーブル１１を参照することにより、センサ装置５の赤外線センサ３１の検知信号の状態を判別する。
【００２２】
即ちＩＥＥＥ８０２．３ａｆでは、クラス０〜４からなる５個の給電クラスがあるので、初期設定された給電クラスに対し、変更可能な給電クラスは４個である。従って、給電クラスを変化させることにより、４個の異なる情報を伝送できることになる。これにより、赤外線センサ３１の検知信号の複数の状態に応じて、予め変化後の給電クラスを定めておき、給電クラス遷移／センサ信号テーブル１１に記憶しておけば、ＰＣ１はセンサ装置５の赤外線センサ３１の検知信号の複数の状態を判別することができる。
【００２３】
給電ハブ３は、センサ装置５の給電クラスの判別を終えたら、制御部２１の制御に基づいて、給電部２３が前記変化後の給電クラスに相当する電力をセンサ装置５に出力する。一方、センサ装置５では、給電クラスの提示の後、ＩＥＥＥ８０２．３ａｆ認証・給電クラス提示部３４の制御によりスイッチ３７を閉じる。従って、給電部２３から電源部３５に電圧が印加され、電源部３５が動作することにより、電源部３５から赤外線センサ３１、赤外線センサ出力部３２、及びロジック部３３に電力が供給されるので、センサ装置５は再び待機状態となる。
【００２４】
このように、本発明の第１の実施形態によれば、センサ装置５の赤外線センサ３１の検知信号に応じて、センサ装置５の給電クラスを変化させ、その給電クラスの変化を給電ハブ３で検出し、給電ハブ３がその変化の情報をパケット通信によりＰＣ１に通知するので、センサ装置５には、赤外線センサ３１の検知信号をパケット化して送信するための通信部が不要となる。これにより、センサ装置５の小型化、低コスト化が可能となる。なお、給電ハブ３については、既存の給電ハブがパケット通信回路を備えているため、それを本発明に適用する際に回路の追加は不要である。
【００２５】
なお、以上の実施形態では、給電クラス変更後は変更後の給電クラスに応じた電力をセンサ装置５に供給するように構成したが、給電クラス変更後、給電クラスを初期設定値に戻す手順を実行し、初期設定時の給電クラスで給電するように構成してもよい。また、ＰＣ１と、給電ハブ３との間の接続はＬＡＮケーブル２に代えて無線ＬＡＮにしてもよい。
【００２６】
［第２の実施形態］
図２は本発明の第２の実施形態のセンサシステムの構成を示す図である。この図において、第１の実施形態と同一又は対応する部分には第１の実施形態と同じ符号を付した。
【００２７】
給電ハブ３は制御部２１、パケット通信部２２、給電部２３、ＩＥＥＥ８０２．３ａｆ認証部２４、給電クラス検知部２５に加えて、負荷電流監視部２６を備えている。負荷電流監視部２６は給電ハブ３からセンサ装置５に供給される電流を監視し、その結果を制御部２１に通知する。給電ハブ３内のその他の部分の機能は第１の実施形態と同様である。
【００２８】
センサ装置５はＩＥＥＥ８０２．３ａｆ認証・給電クラス提示部３４、抵抗などからなる擬似負荷３８、及びスイッチ３９からなる。擬似負荷３８及びスイッチ３９は、給電ハブ３から供給される電流の通路に直列に接続されている。ＩＥＥＥ８０２．３ａｆ認証・給電クラス提示部３４はその内部に給電クラス提示用の固定抵抗Ｒを有する。また。スイッチ３９はドアや窓の開閉に連動して開閉するように、ドアや窓に取り付けられている。
【００２９】
ＰＣ１は、センサ装置５に流れる負荷電流がゼロになったことを給電ハブ３からパケット通信により通知されたときに、その通知に基づいて、センサ装置５のスイッチ３９が開いたと判別するための負荷電流／スイッチ開閉状態テーブル１２を備えている。
【００３０】
以上の構成を有する本実施形態の通信システムの動作について、センサ装置５をＬＡＮケーブル４により給電ハブ３に接続した初期状態（このときスイッチ３９は閉じている）から順に説明する。
【００３１】
初期状態では、給電ハブ３内のＩＥＥＥ８０２．３ａｆ認証部２４と、センサ装置５内のＩＥＥＥ８０２．３ａｆ認証・給電クラス提示部３４内のＩＥＥＥ８０２．３ａｆ認証部との間で所定の認証手順を実行する。この認証手順により、給電ハブ３はセンサ装置５がＩＥＥＥ８０２．３ａｆに準拠したＬＡＮ端末装置であると判別する。
【００３２】
次いで給電ハブ３内の給電クラス検知部２５は、センサ装置５内のＩＥＥＥ８０２．３ａｆ認証・給電クラス提示部３４内の給電クラス提示部が提示する給電クラスを検出する。ここでは、固定抵抗Ｒの抵抗値により給電クラスが決まる。
【００３３】
給電ハブ３は、センサ装置５の給電クラスの判別を終えたら、制御部２１の制御に基づいて、給電部２３が前記給電クラスに相当する電力をセンサ装置５に出力する。センサ装置５では、給電部２３から出力された電流が擬似負荷３８及びスイッチ３９の直列回路に流れる。給電ハブ３内の負荷電流監視部２６は、このように給電部２３からセンサ装置５に供給される負荷電流を監視している。
【００３４】
この待機状態において、ドアや窓が開くことに応じてスイッチ３９が開くと、給電ハブ３から供給される電流の通路が切断されるため、その電流はゼロとなる。このとき負荷電流監視部２６は、給電部２３からセンサ装置５に供給される負荷電流がゼロになったことを検出し、制御部２１に通知する。制御部２１は、センサ装置５の負荷電流がゼロになったことを示す情報を生成し、パケット通信部２２へ出力する。パケット通信部２２は、その情報をパケット化し、ＬＡＮケーブル２を介してＰＣ１へ送信する。ＰＣ１は、受信したパケット中の情報を取り出し、負荷電流／スイッチ開閉状態テーブル１２を参照することにより、センサ装置５のスイッチ３９が開いた状態であると判断する。
【００３５】
ドアや窓が閉じることに連動してスイッチ３９が閉じると、給電ハブ３から供給される電流の通路が接続されるため、電流が流れ始める。これにより、センサ装置５は待機状態になる。
【００３６】
このように、本発明の第２の実施形態によれば、センサ装置５内のスイッチ３９が開くことにより負荷電流がゼロになったことを給電ハブ３により検出し、給電ハブ３がその情報をパケット通信によりＰＣ１に通知するので、センサ装置５には、スイッチ３９が開いたことを示す情報をパケット化して送信するための通信回路が不要となる。これにより、センサ装置５の小型化、低コスト化が可能となる。
【図面の簡単な説明】
【００３７】
【図１】本発明の第１の実施形態のセンサシステムの構成を示す図である。
【図２】本発明の第２の実施形態のセンサシステムの構成を示す図である。
【符号の説明】
【００３８】
１・・・ＰＣ、２・・・ＬＡＮケーブル、３・・・給電ハブ、４・・・電力伝送可能なＬＡＮケーブル、５・・・センサ装置、２２・・・パケット通信部、２３・・・給電部、２４・・・ＩＥＥＥ８０２．３ａｆ認証部、２５・・・給電クラス検知部、２６・・・負荷電流監視部、３１・・・赤外線センサ、３３・・・ロジック部、３４・・・ＩＥＥＥ８０２．３ａｆ認証・給電クラス提示部、３９・・・スイッチ、ＶＲ・・・可変抵抗。
【図１】
2008250913.tif 000003
【図２】
2008250913.tif 000004